(57)【要約】
【課題】法面ブロックにおける光の反射を防ぐことができ、反射光による視認性の低下を防ぐことができる法面ブロックを提供する。
【解決手段】法面Ｗに施工されるブロックであって、ブロックの表面が、光を乱反射する乱反射面に形成されている。その表面において光を乱反射するので、光が照射されたときに法面ブロック１０の表面が光ることを防ぐことができる。このため、法面ブロックが設けられた山道等を自動車が走行したときに、夜間であれば、自動車のヘッドライトからの光によって法面ブロック１０が強く光ることを防ぐことができるし、昼間であれば太陽光によって法面ブロック１０が強く光ることを防ぐことができる。そして、トンネルの出口近くに設けられた場合であっても、法面ブロック１０を周囲環境と同化させることができるから、運転手の視認性の低下を防ぐことができる。
【選択図】        図１
0003101108.tif 000002
【実用新案登録請求の範囲】
【請求項１】
法面に施工されるブロックであって、
該ブロックの表面が、光を乱反射する乱反射面に形成されている
ことを特徴とする法面ブロック。
【請求項２】
前記ブロックの表面が、複数の凹凸を有する面である
ことを特徴とする請求項１記載の法面ブロック。
【請求項３】
前記ブロックの表面が、粗面である
ことを特徴とする請求項２記載の法面ブロック。
【考案の詳細な説明】
【技術分野】
【０００１】
本考案は、法面ブロックに関する。
【背景技術】
【０００２】
従来より、切り取りや盛り土をした法面では、法面ブロックによって土の圧力を支持し、法面が崩壊することを防止していた（非特許文献１参照）。
【０００３】
しかるに、山を切り取って形成した道路等の場合、法面ブロックを取り付けることによって法面の崩壊は防ぐことができたが、夜間には自動車のヘッドライト、昼間では太陽光が法面ブロックの表面で反射して光り、運転者の視認性を悪化させるという別の問題が生じていた。さらに、トンネルの出口近くに設けられた場合には、法面ブロックだけが明るく見え、周囲の状況に対する運転者の視認性を悪化させるという問題も生じていた。
しかし、従来の法面ブロックは、土の圧力を支持することを主目的として開発されてきたものであり、法面ブロックの表面における光の反射については何ら対策が施されていない。そして、上記ごとき問題については、その表面を植物で覆ったりグリーンネットをかぶせたりすることによって対応しているため、法面ブロックの施工に加えて、植物の育成やグリーンネットの施工のための余分な作業が必要となり、施工時間および施工コストが余分にかかるという問題も生じている。とくに、グリーンネットでは、反射を低減させる効果も低かく、施工時間および施工コストに対する十分な効果が得られなかった。
【０００４】
【非特許文献１】「写真と図で見るのり面加工の施工ノウハウ」，ｐ．１２８−１２９，近代図書株式会社，福岡正巳編，１９９８年７月１５日
【考案の開示】
【考案が解決しようとする課題】
【０００５】
本考案は上記事情に鑑み、法面ブロックにおける光の反射を防ぐことができ、反射光による視認性の低下を防ぐことができる法面ブロックを提供することを目的とする。
【課題を解決するための手段】
【０００６】
請求項１の法面ブロックは、法面に施工されるブロックであって、該ブロックの表面が、光を乱反射する乱反射面に形成されていることを特徴とする。
請求項２の法面ブロックは、請求項１記載の考案において、前記ブロックの表面が、複数の凹凸を有する面であることを特徴とする。
請求項３の法面ブロックは、請求項２記載の考案において、前記ブロックの表面が、粗面であることを特徴とする。
【考案の効果】
【０００７】
請求項１の考案によれば、法面ブロックの表面が、光を乱反射する乱反射面に形成されているから、法面ブロックに光を照射すると、乱反射面によって光が乱反射されるので、光が照射されたときにブロックの表面が強く光ることを防ぐことができる。このため、法面ブロックが設けられた山道等を自動車が走行したときに、夜間であれば、自動車のヘッドライトからの光によって法面ブロックが強く光ることを防ぐことができるし、昼間であれば太陽光によって法面ブロックが強く光ることを防ぐことができる。そして、トンネルの出口近くに設けられた場合であっても、法面ブロックを周囲環境と同化させることができるから、運転手の視認性の低下を防ぐことができる。
請求項２の考案によれば、法面ブロックの表面に凹凸が形成されているので、法面ブロックに光を照射すると、凹凸を形成する面によって光が様々な方向に反射されるから、光を照射したときに、どの方向からブロックを見ても、ブロックの表面が強く光らないようにすることができる。
請求項３の考案によれば、法面ブロックの表面には、細かく不規則な凹凸が形成されているから、法面ブロックに光を照射しても、光が様々な方向に反射され、かつ凹凸を形成する一の面において反射される光の光量が小さくなる。このため、光を照射したときに、どの方向からブロックを見ても、ブロックの表面が強く光らないようにすることができる。
【考案を実施するための最良の形態】
【０００８】
つぎに、本考案の実施形態を図面に基づき説明する。
図１は、本実施形態の法面ブロック１０の概略説明図であって、（Ａ）は平面図であり、（Ｂ）は側面図である。図３は本実施形態の法面ブロック１０を法面に取り付けた状態の説明図である。図１に示すように、前述した法面ブロック１０は、ブロック本体１１が平面視十字形に形成されたブロックであり、その中央部にその表面から凹んだ凹部１３が形成されている。そして、この凹部１３の中央部には、その内底面と法面ブロック１０の裏面との間を貫通するアンカー挿入用孔１２が形成されている。
このため、図３に示すように、法面ブロック１０を、法面ｗに埋設されているアンカーＡの先端部分をアンカー挿入用孔１２に通した状態で、その裏面が法面Ｗに接触するように配設し、キャップＣをアンカーＡの先端に固定すれば、法面ブロック１０を法面Ｗに固定することができる。
【０００９】
さて、図１に示すように、本実施形態の法面ブロック１０は、そのブロック本体１１の表面に、複数の凹凸が形成されている。この凹凸は、例えば、型枠内にコンクリートを流し込んで法面ブロック１０を形成したときに、型枠の内面に設けられている凹凸の形状が転写されて形成されたものである。
このため、本実施形態の法面ブロック１０の表面に光が照射されると、凹凸を形成する面によって光が様々な方向に反射される、つまり光がブロック表面で乱反射される。すると、法面ブロック１０の表面が、特定の方向にのみ強く光を反射することを防ぐことができる。言い換えれば、法面ブロック１０の表面が、照射された光によって強く光ることを防ぐことができる。
よって、本実施形態の法面ブロック１０が設けられた山道等を自動車が夜間に走行しても、自動車のヘッドライトからの光によって法面ブロック１０が強く光ることを防ぐことができるので、運転手の視認性の低下を防ぐことができるから、道路の安全性を高くすることができる。
また、昼間でも、太陽光が法面ブロック１０で反射して、法面ブロック１０が強く光ることを防ぐことができるから、運転手の視認性の低下を防ぐことができる。
そして、本実施形態の法面ブロック１０をトンネルの出口近くに設けらた場合には、法面ブロック１０による光の反射が押さえられているので、法面ブロック１０を周囲環境と同化させることができる。このため、トンネルを出たときに、法面ブロック１０だけが明るく見える現象が生じることを防ぐことができるから、トンネルを出た直後でも周囲の状況に対する運転者の視認性が悪化することを防ぐことができる。
【００１０】
そして、法面ブロック１０の表面の凹凸を細かくかつ不規則に形成すれば、法面ブロック１０の表面を粗面とすることができる。すると、凹凸を形成する一の面が小さくなり、この一の面において反射される光の光量を小さくすることができるから、法面ブロック１０が強く光ることを防ぐ効果を高くすることができる。
【００１１】
なお、法面ブロック１０の表面をに凹凸を形成する方法は、上記の方法に限られず、サンドブラストや、ハンマー等によるチッピング等を使用してもよい。
さらになお、法面ブロック１０の表面は、光を乱反射させることができればよく、例えば、表面が大きくうねっているような状態や、凹凸が規則的に形成されている状態でもよく、とくに限定はない。
さらになお、ブロック本体１１の側面１４は、通常粗面にされないが、粗面にしてもよい。
さらになお、ブロック本体１１の形状は平面視十字形に限られず、法面Ｗからの土圧を受けることができる形状であれば、とくに限定はない。
【００１２】
また、図２に示すように、第１実施形態の法面ブロック１０の受圧面積を大きくするために、ブロック本体１１の下面に平面視正八角形状のベースプレート１５を設けてもよい。この場合には、ベースプレート１５の表面も粗面に形成すれば、ベースプレート１５の表面でも光が乱反射されるので、光が照射されたときにベースプレート１５の表面が光ることも防ぐことができる。
なお、ベースプレート１５の形状は平面視正八角形状に限られず、法面ブロック１０の受圧面積を大きくすることができる形状であればよく、とくに限定はない。
【図面の簡単な説明】
【００１３】
【図１】本実施形態の法面ブロック１０の概略説明図であって、（Ａ）は平面図であり、（Ｂ）は側面図である。
【図２】他の実施形態の法面ブロック１０の概略説明図であって、（Ａ）は平面図であり、（Ｂ）は側面図である。
【図３】本実施形態の法面ブロック１０を法面に取り付けた状態の説明図である。
【符号の説明】
【００１４】
１０  法面ブロック
１１  ブロック本体
１２  アンカー挿入用孔
１３  凹部
Ａ  アンカー
Ｃ  キャップ
Ｗ  法面
【図１】
0003101108.tif 000003
【図２】
0003101108.tif 000004
【図３】
0003101108.tif 000005